(57)【要約】【課題】本発明は、ごみ焼却炉から排出された排ガス中の飛灰等を処理するためのごみ焼却炉の飛灰処理方法および飛灰処理装置に関し、バグフィルタに捕集された塩化カルシウムを含む集塵灰を容易，確実に処理することを目的とする。【解決手段】ごみ焼却炉から排出された排ガス中のダスト成分を第１のバグフィルタで捕集した後、ダスト成分の除去された排ガスに消石灰を吹き込み、排ガス中の塩化水素と反応させ塩化カルシウムを生成し、この後、第２のバグフィルタにより、排ガス中の前記塩化カルシウムを捕集し、同時に、前記第２のバグフィルタの触媒によりダイオキシン類の分解を行うことを特徴とする。【選択図】      図１
2004223349.tif 000002
【特許請求の範囲】
【請求項１】
ごみ焼却炉から排出された排ガス中のダスト成分を第１のバグフィルタで捕集した後、ダスト成分の除去された排ガスに消石灰を吹き込み、排ガス中の塩化水素と反応させ塩化カルシウムを生成し、この後、第２のバグフィルタにより、排ガス中の前記塩化カルシウムを捕集し、同時に、前記第２のバグフィルタの触媒によりダイオキシン類の分解を行うことを特徴とするごみ焼却炉の飛灰処理方法。
【請求項２】
請求項１記載のごみ焼却炉の飛灰処理方法において、
前記第２のバグフィルタで捕集された集塵灰を、キレート剤を用いて灰固化することを特徴とするごみ焼却炉の飛灰処理方法。
【請求項３】
請求項１または請求項２記載のごみ焼却炉の飛灰処理方法において、
前記第１のバグフィルタで捕集された集塵灰を、前記ごみ焼却炉の焼却主灰とともに溶融処理することを特徴とするごみ焼却炉の飛灰処理方法。
【請求項４】
請求項１ないし請求項３のいずれか１項記載のごみ焼却炉の飛灰処理方法において、
前記ごみ焼却炉の間欠運転時に、前記ごみ焼却炉から排出された排ガスを前記第１のバグフィルタをバイパスさせることなく運転を行うことを特徴とするごみ焼却炉の飛灰処理方法。
【請求項５】
ごみ焼却炉から排出された排ガス中のダスト成分を捕集する第１のバグフィルタと、
前記第１のバグフィルタによりダスト成分が除去された排ガスに消石灰を吹き込む消石灰供給手段と、
前記消石灰供給手段から供給された消石灰と排ガス中の塩化水素との反応により生成された塩化カルシウムを捕集し、同時に、触媒によりダイオキシン類の分解を行う第２のバグフィルタと、
を有することを特徴とするごみ焼却炉の飛灰処理装置。
【発明の詳細な説明】
【０００１】
【発明の属する技術分野】
本発明は、ごみ焼却炉から排出された排ガス中の飛灰等を処理するごみ焼却炉の飛灰処理方法および飛灰処理装置に関する。
【０００２】
【従来の技術】
一般に、ごみ焼却炉から排出された排ガス中には、飛灰（以下ダストという）、塩化水素、ダイオキシン類等が含まれており、これ等の成分を効果的に除去することが要望されている。
そして、従来、ダスト、塩化水素、ダイオキシン類等を効率的に除去する装置として、例えば、特開平１０−２０２０６２号公報に開示されるものが知られている。
【０００３】
図２は、従来のごみ焼却炉の飛灰処理方法の一例を示すもので、この方法では、ごみ焼却炉１から排出された排ガスに、活性炭および消石灰が吹き込まれる。
吹き込まれた消石灰は、排ガス中の塩化水素と反応し塩化カルシウムと水となり、また、活性炭には、ダイオキシン類が吸着される。
そして、ダスト成分、塩化カルシウムおよび活性炭が、通常ろ布を用いたバグフィルタ２により捕集され、排ガスは、誘引送風機３を介して煙突４から大気中に放出される。
【０００４】
しかしながら、このような飛灰処理方法では、ダイオキシン類を吸着するために活性炭を使用しているため、活性炭の分だけ、灰固化量が増大するという問題がある。
そこで、近時、バグフィルタのろ布に、ダイオキシン類を分解する触媒を担持、あるいは、織り込んだ触媒ろ布を使用した飛灰処理方法が開発されている。
【０００５】
この方法では、図３に示すように、ごみ焼却炉１から排出された排ガスに、消石灰のみが吹き込まれる。
吹き込まれた消石灰は、排ガス中の塩化水素と反応し塩化カルシウムと水になる。
【０００６】
そして、微量のダスト成分および塩化カルシウムが、触媒ろ布を用いたバグフィルタ５により捕集され、同時に、触媒ろ布によりダイオキシン類の分解が行われる。
従って、活性炭を使用する必要がなくなり、活性炭の分だけ灰固化量が増大するのを解消することができるとともに、活性炭が混入した集塵灰を灰固化処理する時に、固化薬剤が活性炭に消費され性能確保するために多量の固化薬剤が必要となることを解消できる。
【０００７】
【特許文献１】
特開平１０−２０２０６２号公報
【０００８】
【発明が解決しようとする課題】
しかしながら、このような従来のごみ焼却炉の飛灰処理方法では、バグフィルタ２，５に捕集された集塵灰を、灰溶融設備６において、ごみ焼却炉１の焼却主灰とともに溶融処理しようとすると、バグフィルタ２，５に捕集された集塵灰に比較的多量の塩化カルシウムが含まれるため、高濃度の塩素が再び排ガス側に移行し、再度排ガス処理が必要になり、排ガス処理工程において多量の消石灰が必要になるという問題があった。
【０００９】
また、ごみ焼却炉１が、間欠運転炉の場合には、バグフィルタ２，５に捕集されたダストに潮解性のある塩化カルシウムが混ざっているため、休止による低温時に、バグフィルタ２，５に排ガスを流すことができず、バイパス管路７に切り換える必要があるという問題があった。
本発明は、かかる従来の問題を解決するためになされたもので、バグフィルタに捕集された塩化カルシウムを含む集塵灰を容易，確実に処理することができるごみ焼却炉の飛灰処理方法および飛灰処理装置を提供することを目的とする。
【００１０】
【課題を解決するための手段】
請求項１のごみ焼却炉の飛灰処理方法は、ごみ焼却炉から排出された排ガス中のダスト成分を第１のバグフィルタで捕集した後、ダスト成分の除去された排ガスに消石灰を吹き込み、排ガス中の塩化水素と反応させ塩化カルシウムを生成し、この後、第２のバグフィルタにより、排ガス中の前記塩化カルシウムを捕集し、同時に、前記第２のバグフィルタの触媒によりダイオキシン類の分解を行うことを特徴とする。
【００１１】
請求項２のごみ焼却炉の飛灰処理方法は、請求項１記載のごみ焼却炉の飛灰処理方法において、前記第２のバグフィルタで捕集された集塵灰を、キレート剤を用いて灰固化することを特徴とする。
請求項３のごみ焼却炉の飛灰処理方法は、請求項１または請求項２記載のごみ焼却炉の飛灰処理方法において、前記第１のバグフィルタで捕集された集塵灰を、前記ごみ焼却炉の焼却主灰とともに溶融処理することを特徴とする。
【００１２】
請求項４のごみ焼却炉の飛灰処理方法は、請求項１ないし請求項３のいずれか１項記載のごみ焼却炉の飛灰処理方法において、前記ごみ焼却炉の間欠運転時に、前記ごみ焼却炉から排出された排ガスを前記第１のバグフィルタをバイパスさせることなく運転を行うことを特徴とする。
請求項５のごみ焼却炉の飛灰処理装置は、ごみ焼却炉から排出された排ガス中のダスト成分を捕集する第１のバグフィルタと、前記第１のバグフィルタによりダスト成分が除去された排ガスに消石灰を吹き込む消石灰供給手段と、前記消石灰供給手段から供給された消石灰と排ガス中の塩化水素との反応により生成された塩化カルシウムを捕集し、同時に、触媒によりダイオキシン類の分解を行う第２のバグフィルタとを有することを特徴とする。
【００１３】
（作用）
請求項１のごみ焼却炉の飛灰処理方法では、先ず、ごみ焼却炉から排出された排ガス中のダスト成分が第１のバグフィルタで捕集される。
【００１４】
次に、ダスト成分の除去された排ガスに消石灰を吹き込み、排ガス中の塩化水素と反応させ塩化カルシウムが生成される。
そして、第２のバグフィルタにより、排ガス中の塩化カルシウムが捕集され、同時に、第２のバグフィルタの触媒によりダイオキシン類の分解が行われる。
従って、第２のバグフィルタの集塵灰は、塩化カルシウムと未反応消石灰が主要な成分であり、第２のバグフィルタの集塵灰には、ダスト成分が殆ど含まれていないため、比較的少量であり、集塵灰の容易，確実な処理が可能となる。
【００１５】
請求項２のごみ焼却炉の飛灰処理方法では、第２のバグフィルタで捕集された集塵灰が、キレート剤を用いて灰固化され、埋め立てへの処理処分が行われる。
請求項３のごみ焼却炉の飛灰処理方法では、第１のバグフィルタで捕集された集塵灰が、ごみ焼却炉の焼却主灰とともに溶融処理される。
すなわち、第１のバグフィルタで捕集された集塵灰は、排ガス中のダスト成分のみであり、塩化物濃度が非常に低いため、ごみ焼却炉の焼却主灰とともに溶融処理することが可能になる。
【００１６】
請求項４のごみ焼却炉の飛灰処理方法では、ごみ焼却炉の間欠運転時に、ごみ焼却炉から排出された排ガスを第１のバグフィルタをバイパスさせることなく運転が行われ、第１のバグフィルタにダスト成分が捕獲される。
すなわち、一般に、ダストに潮解性のある塩化カルシウムが混ざっている状態で、休止による低温時に、排ガスを流すと、塩化カルシウムの潮解現象によりダストがバグフィルタに付着し、バグフィルタからの払い落としができなくなる。
【００１７】
しかしながら、第１のバグフィルタには、潮解性のないダスト成分のみが捕集されているため、休止による低温時に、第１のバグフィルタに排ガスを流すことが可能になる。
請求項５のごみ焼却炉の飛灰処理装置では、ごみ焼却炉から排出された排ガス中のダスト成分が第１のバグフィルタで捕集される。
【００１８】
そして、消石灰供給手段により、ダスト成分の除去された排ガスに消石灰が吹き込まれ、消石灰が排ガス中の塩化水素と反応し塩化カルシウムが生成される。
そして、第２のバグフィルタにより、排ガス中の塩化カルシウムが捕集され、同時に、第２のバグフィルタの触媒によりダイオキシン類の分解が行われる。
従って、第２のバグフィルタの集塵灰は、塩化カルシウムと未反応消石灰が主要な成分であり、第２のバグフィルタの集塵灰には、ダスト成分が殆ど含まれていないため、比較的少量であり、集塵灰の容易，確実な処理が可能となる。
【００１９】
【発明の実施の形態】
以下、本発明の実施形態を図面を用いて詳細に説明する。
図１は、本発明のごみ焼却炉の飛灰処理装置の一実施形態を示している。
図において符号１１は、ごみを燃焼するごみ焼却炉を示している。
ごみ焼却炉１１からの排ガスは、ガス冷却器１３、白煙防止用空気余熱器１５、空気予熱器１７を介して第１のバグフィルタ１９に導かれる。
【００２０】
この第１のバグフィルタ１９は、通常のろ布からなり、排ガス中のダスト成分を捕集する。
第１のバグフィルタ１９の下流側には、第１のバグフィルタ１９によりダスト成分が除去された排ガスに、消石灰Ｃａ（ＯＨ）２を吹き込む消石灰供給手段２１が配置されている。
【００２１】
この消石灰供給手段２１から供給された消石灰は、排ガス中の塩化水素ＨＣｌと以下のように反応し、塩化カルシウムＣａＣｌ２を生成する。
Ｃａ（ＯＨ）２＋２ＨＣｌ→ＣａＣｌ２＋２Ｈ２Ｏ
なお、排ガス中の塩化水素は、塩素系のプラスチック製品等を燃焼することにより発生したものである。
【００２２】
消石灰供給手段２１の下流側には、第２のバグフィルタ２３が配置されている。
この第２のバグフィルタ２３は、消石灰と塩化水素との反応により生じた塩化カルシウムを捕集し、同時に、触媒によりダイオキシン類の分解を行う。
すなわち、この第２のバグフィルタ２３は、ろ布に、チタン，バナジュウム等のダイオキシン類の分解触媒を担持させ、あるいは、織り込んで形成されている。
【００２３】
なお、このようなダイオキシン類の分解触媒を備えた触媒フィルターシステムとして、例えば、ジャパンゴアテック社のＧＯＲＥ（登録商標）触媒フィルターシステムが知られている。
第２のバグフィルタ２３をバイパスしてバイパス管路２５が接続されている。
第２のバイパス管路２５には、電磁開閉弁２７が配置され、第２のバグフィルタ２３の入口側および出口側には電磁開閉弁２９，３１が配置されている。
【００２４】
第２のバグフィルタ２３の下流側は、誘引送風機３３を介して煙突３５に接続されている。
上述した飛灰処理装置では、空気予熱器１７から、２ｇ〜４ｇ／ｍ３Ｎのダスト量の排ガスが、例えば、２００℃の温度で第１のバグフィルタ１９に供給される。
そして、第１のバグフィルタ１９においてダスト成分が除去され、排ガス中のダスト量が、０．０１ｇ〜０．０４ｇ／ｍ３Ｎに低減され、この排ガスに、消石灰供給手段２１からの消石灰が吹き込まれる。
【００２５】
消石灰の吹き込みにより、排ガス中の塩化水素が塩化カルシウムになり、塩化カルシウムが第２のバグフィルタ２３により捕集され、同時に、ダイオキシン類の分解が行われる。
そして、第２のバグフィルタ２３の下流側では、排ガスのダスト量が、０．１ｍｇ／ｍ３Ｎ以下に低減され、誘引送風機３３を通り煙突３５から大気中に排出される。
【００２６】
一方、第１のバグフィルタ１９に捕集された集塵灰は、ごみ焼却炉１１の灰溶融設備３７において、ごみ焼却炉１１の焼却主灰とともに溶融処理される。
また、第２のバグフィルタ２３で捕集された集塵灰は、灰固化設備３９において、キレート剤を用いて灰固化され、埋め立てへの処理処分が行われる。
上述したごみ焼却炉の飛灰処理方法では、第１のバグフィルタ１９に、ごみ焼却炉１１から排出された排ガス中のダスト成分を捕集し、第２のバグフィルタ２３に、塩化カルシウムを捕集するようにしたので、第２のバグフィルタ２３の集塵灰には、ダスト成分が殆ど含まれることがなくなり比較的少量になり、第２のバグフィルタ２３に捕集された塩化カルシウムを含む集塵灰を容易，確実に処理することができる。
【００２７】
すなわち、第２のバグフィルタ２３の集塵灰は、塩化カルシウムと未反応消石灰が主要な成分であり、第２のバグフィルタ２３の集塵灰には、ダスト成分が殆ど含まれていないため、比較的少量であり、集塵灰の容易，確実な処理が可能となる。
また、上述したごみ焼却炉の飛灰処理方法では、第２のバグフィルタ２３で捕集された集塵灰を、灰固化設備３９において、キレート剤を用いて灰固化するようにしたので、埋め立て等の処分を容易に行うことができる。
【００２８】
さらに、上述したごみ焼却炉の飛灰処理方法では、第１のバグフィルタ１９で捕集された集塵灰を、灰溶融設備３７において、ごみ焼却炉１１の焼却主灰とともに溶融処理するようにしたので、混合灰として容易，確実に処理することができる。
すなわち、第１のバグフィルタ１９で捕集された集塵灰は、排ガス中のダスト成分のみであり、塩化物濃度が非常に低いため、ごみ焼却炉１１の焼却主灰とともに溶融処理することが可能になる。
【００２９】
また、上述したごみ焼却炉の飛灰処理方法では、ごみ焼却炉１１の間欠運転時に、ごみ焼却炉１１から排出された排ガスを第１のバグフィルタ１９をバイパスさせることなく運転することができるため、ダスト成分が煙突から排出されるのを確実に防止することができる。
【００３０】
すなわち、ごみ焼却炉１１の休止による低温時に、バグフィルタに捕集されたダストに潮解性のある塩化カルシウムが混ざっている状態で排ガスを流すと、塩化カルシウムの潮解現象によりダストがバグフィルタに付着し、バグフィルタからの払い落としができなくなる。
しかしながら、この実施形態では、第１のバグフィルタ１９には、潮解性のないダスト成分のみが捕集されているため、休止による低温時に、第１のバグフィルタ１９に排ガスを流すことが可能になる。
【００３１】
なお、この実施形態では、第２のバグフィルタ２３には、塩化カルシウムが捕集されているため、休止による低温時には、第２のバグフィルタ２３の入口側および出口側の電磁開閉弁２９，３１は閉、バイパス管路２５の電磁開閉弁２７が開とされ、第１のバグフィルタ１９からの排ガスが、第２のバグフィルタ２３をバイパスして誘引送風機３３に流される。
【００３２】
そして、上述したごみ焼却炉１１の飛灰処理装置では、第１のバグフィルタ１９に、ごみ焼却炉１１から排出された排ガス中のダスト成分が捕集され、第２のバグフィルタ２３に、塩化カルシウムが捕集されるため、第２のバグフィルタ２３の集塵灰には、ダスト成分が殆ど含まれることがなくなり比較的少量になり、第２のバグフィルタ２３に捕集された塩化カルシウムを含む集塵灰を容易，確実に処理することができる。
【００３３】
【発明の効果】
以上述べたように、請求項１のごみ焼却炉の飛灰処理方法では、第１のバグフィルタに、ごみ焼却炉から排出された排ガス中のダスト成分を捕集し、第２のバグフィルタに、塩化カルシウムを捕集するようにしたので、第２のバグフィルタの集塵灰には、ダスト成分が殆ど含まれることがなくなり比較的少量になり、第２のバグフィルタに捕集された塩化カルシウムを含む集塵灰を容易，確実に処理することができる。
【００３４】
請求項２のごみ焼却炉の飛灰処理方法では、第２のバグフィルタで捕集された集塵灰を、キレート剤を用いて灰固化するようにしたので、埋め立て等の処分を容易に行うことができる。
請求項３のごみ焼却炉の飛灰処理方法では、第１のバグフィルタで捕集された集塵灰を、ごみ焼却炉の焼却主灰とともに溶融処理するようにしたので、比較的多量のダスト成分を容易，確実に処理することができる。
【００３５】
請求項４のごみ焼却炉の飛灰処理方法では、ごみ焼却炉の間欠運転時に、ごみ焼却炉から排出された排ガスを第１のバグフィルタをバイパスさせることなく運転するようにしたので、ダスト成分が煙突から排出されるのを確実に防止することができる。
請求項５のごみ焼却炉の飛灰処理装置では、第１のバグフィルタに、ごみ焼却炉から排出された排ガス中のダスト成分が捕集され、第２のバグフィルタに、塩化カルシウムが捕集されるため、第２のバグフィルタの集塵灰には、ダスト成分が殆ど含まれることがなくなり比較的少量になり、第２のバグフィルタに捕集された塩化カルシウムを含む集塵灰を容易，確実に処理することができる。
【図面の簡単な説明】
【図１】本発明のごみ焼却炉の飛灰処理装置の一実施形態を示す配管系統図である。
【図２】従来のごみ焼却炉の飛灰処理方法の一例を示す配管系統図である。
【図３】従来のごみ焼却炉の飛灰処理方法の他の例を示す配管系統図である。
【符号の説明】
１１  ごみ焼却炉
１９  第１のバグフィルタ
２１  消石灰供給手段
２３  第２のバグフィルタ
３７  灰溶融設備
３９  灰固化設備
【図１】
2004223349.tif 000003
【図２】
2004223349.tif 000004
【図３】
2004223349.tif 000005